(57)【要約】【課題】励起光の照射及びスペクトルの測定を無駄に行ってしまうことを省けるようにする。【解決手段】測定装置１が、発生させる励起光の波長帯域を変更可能な光源装置６０と、ケーブル状に設けられたプローブ３０と、プローブ３０の近位端まで伝達した被測定光のスペクトルを測定する分光測定器７５と、制御部８０と、を備える。制御部８０が、光源装置６０を制御して、光源装置６０の励起光の波長帯域を設定する波長設定処理と、波長設定処理後に分光測定器７５にスペクトルの測定を行わせる測定制御処理と、測定制御処理により測定されたスペクトルを入力する入力処理と、入力処理により入力したスペクトルが正常であるか否かを判定する判定処理と、を実行する。制御部８０は、判定処理によりスペクトルが異常であると判定した場合に、波長設定処理、測定制御処理、入力処理及び判定処理の再実行を行わない。【選択図】図７
2014117305.tif 000002
【特許請求の範囲】
【請求項１】
励起光を発するとともにその励起光の波長帯域を変更可能な光源装置と、
ケーブル状に設けられ、前記光源装置から発せられた励起光を前記光源装置に近位の端から取り込み、その励起光を前記光源装置に遠位の端まで伝達し、その励起光を前記遠位の端から出射し、前記遠位の端から出射された励起光によって測定対象物から発せられた被測定光を前記遠位の端から取り込んで前記近位の端まで伝達するプローブと、
前記プローブの前記近位の端まで伝達した被測定光のスペクトルを測定する分光測定器と、
制御部と、を備え、
前記制御部が、
前記光源装置を制御して、前記光源装置の励起光の波長帯域を設定する波長設定処理と、
前記波長設定処理後に前記分光測定器にスペクトルの測定を行わせる測定制御処理と、
前記測定制御処理により測定されたスペクトルを入力させる入力処理と、
前記入力処理により入力されたスペクトルが正常であるか否かを判定する判定処理と、を実行し、
前記制御部が、前記判定処理によりスペクトルが正常であると判定した場合に、前記波長設定処理、前記測定制御処理、前記入力処理及び前記判定処理を再実行し、前記判定処理によりスペクトルが異常であると判定した場合に、前記波長設定処理、前記測定制御処理、前記入力処理及び前記判定処理の再実行を行わない、
ことを特徴とする測定装置。
【請求項２】
前記制御部は、再実行される前記波長設定処理において設定される前記光源装置の励起光の波長帯域よりも長くなるように、その前の前記波長設定処理において前記光源装置の励起光の波長帯域を設定する、
ことを特徴とする請求項１に記載の測定装置。
【請求項３】
再実行される前記波長設定処理において設定される前記光源装置の励起光の波長帯域に比べて、その前の前記波長設定処理において設定される前記光源装置の励起光の波長帯域は、人体に対する害が小さい、
ことを特徴とする請求項１に記載の測定装置。
【請求項４】
情報を可視化して出力するための出力装置をさらに備え、
前記制御部が、前記判定処理によりスペクトルが異常であると判定した場合に、前記波長設定処理、前記測定制御処理、前記入力処理及び前記判定処理の再実行を行わずに前記出力装置にエラーの旨を出力させるエラー処理を実行する、
ことを特徴とする請求項１から３の何れか一項に記載の測定装置。
【請求項５】
スピーカーをさらに備え、
前記制御部が、前記判定処理によりスペクトルが異常であると判定した場合に、前記波長設定処理、前記測定制御処理、前記入力処理及び前記判定処理の再実行を行わずに前記スピーカーに警告音を出力させるエラー処理を実行する、
ことを特徴とする請求項１から４の何れか一項に記載の測定装置。
【請求項６】
前記光源装置が、
光を発する光源と、
前記光源と前記プローブの前記近位の端との間の挿入位置からその挿入位置から外れた退避位置まで移動可能に設けられ、前記光源から発した光のうち通過帯域の光を励起光として通過させ、通過帯域が互いに異なる複数の帯域通過フィルターと、
前記複数の帯域通過フィルターを駆動する駆動部と、を有し、
前記制御部が前記波長設定処理において前記駆動部を制御することによって前記複数の帯域通過フィルターのうち何れかを前記挿入位置に位置させる、
ことを特徴とする請求項１から３の何れか一項に記載の測定装置。
【請求項７】
前記制御部は、再実行された前記波長設定処理において前記挿入位置に位置させた帯域通過フィルターを、その前の前記波長設定処理において前記挿入位置に位置させた帯域通過フィルターと異ならせる、
ことを特徴とする請求項６に記載の測定装置。
【請求項８】
情報を可視化して出力するための出力装置をさらに備え、
前記制御部は、前記複数の帯域通過フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、
ことを特徴とする請求項７に記載の測定装置。
【請求項９】
前記分光測定器と前記プローブの前記近位の端との間の第二挿入位置からその第二挿入位置から外れた第二退避位置まで移動可能に設けられ、前記プローブの前記近位の端まで伝達された被測定光のうち遮断帯域の光を遮断し、遮断帯域が互いに異なる複数の帯域遮断フィルターと、
前記複数の帯域遮断フィルターを駆動する第二駆動部と、をさらに備え、
前記制御部が前記波長設定処理において前記第二駆動部を制御することによって前記複数の帯域遮断フィルターのうち何れかを前記第二挿入位置に位置させる、
ことを特徴とする請求項１から３の何れか一項に記載の測定装置。
【請求項１０】
前記制御部は、再実行された前記波長設定処理において前記第二挿入位置に位置させた帯域遮断フィルターを、その前の前記波長設定処理において前記第二挿入位置に位置させた帯域遮断フィルターと異ならせる、
ことを特徴とする請求項９に記載の測定装置。
【請求項１１】
情報を可視化して出力するための出力装置をさらに備え、
前記制御部は、前記複数の帯域遮断フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、
ことを特徴とする請求項１０に記載の測定装置。
【請求項１２】
前記光源装置が、
光を発する光源と、
前記光源と前記プローブの前記近位の端との間の挿入位置からその挿入位置から外れた退避位置まで移動可能に設けられ、前記光源から発した光のうち通過帯域の光を励起光として通過させ、通過帯域が互いに異なる複数の帯域通過フィルターと、
前記複数の帯域通過フィルターを駆動する駆動部と、を有し、
前記測定装置が、
前記分光測定器と前記プローブの前記近位の端との間の第二挿入位置からその第二挿入位置から外れた第二退避位置まで移動可能に設けられ、前記複数の帯域通過フィルターの通過帯域にそれぞれ等しい遮断帯域を有し、前記プローブの前記近位の端まで伝達された被測定光のうち遮断帯域の光を遮断する複数の帯域遮断フィルターと、
前記複数の帯域遮断フィルターを駆動する第二駆動部と、さらに備え、
前記制御部が前記波長設定処理において前記駆動部を制御することによって前記複数の帯域通過フィルターのうち何れかを前記挿入位置に位置させ、
前記制御部が前記波長設定処理において前記第二駆動部を制御することによって、前記挿入位置に位置した帯域通過フィルターの通過帯域に等しい遮断帯域を有した帯域遮断フィルターを前記第二挿入位置に位置させる、
ことを特徴とする請求項１から３の何れか一項に記載の測定装置。
【請求項１３】
前記制御部は、
再実行された前記波長設定処理において前記挿入位置に位置させた帯域通過フィルターを、その前の前記波長設定処理において前記挿入位置に位置させた帯域通過フィルターと異ならせるとともに、
再実行された前記波長設定処理において前記第二挿入位置に位置させた帯域遮断フィルターを、その前の前記波長設定処理において前記第二挿入位置に位置させた帯域遮断フィルターと異ならせる、
ことを特徴とする請求項１２に記載の測定装置。
【請求項１４】
情報を可視化して出力するための出力装置をさらに備え、
前記制御部は、前記複数の帯域通過フィルター及び前記複数の帯域遮断フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、
ことを特徴とする請求項１３に記載の測定装置。
【発明の詳細な説明】
【技術分野】
【０００１】
本発明は、生体の管腔内に挿入されるプローブを有する測定装置に関する。
【背景技術】
【０００２】
内視鏡に設けられたチャンネルにプローブを挿入し、患者の体内を光学的に診断する装置が提案されている（特許文献１参照）。特許文献１に記載のプローブ（２０）はケーブル状に設けられ、投光用光ファイバー（２６）がプローブ（２０）の近位端からプローブ（２０）の遠位端（２２）にかけてプローブ（２０）の内部に設けられ、受光用光ファイバー（２８）がプローブ（２０）の遠位端からプローブ（２０）の中途部にかけてプローブ（２０）の内部に設けられている。
【０００３】
プローブ（２０）の近位端は光源装置（１０）に連結されている。光源装置（１０）から発した励起光が投光用光ファイバー（２６）によってプローブ（２０）の遠位端（２２）までガイドされ、その励起光がプローブ（２０）の遠位端（２２）から生体組織（２４）に照射される。これにより生体組織（２４）から蛍光や散乱光等の被測定光が発する。光源装置（１０）は、複数の蛍光体からなる蛍光体ホイール（１６）、エミッション窒素レーザー（１２）及びＸｅフラッシュランプ（１４）を有し、励起光の波長を段階的に変更可能なものである。
【０００４】
プローブ（２０）の中途部が励起光ブロックホイール（３６）及び分光器（３０）を介して検出器（３２）に連結されている。生体組織（２４）から発した被測定光が受光用光ファイバー（２８）によって励起光ブロックホイール（３６）までガイドされ、その被測定光から励起光が励起光ブロックホイール（３６）によって除去され、励起光が除去された被測定光が分光器（３０）によって分光され、分光された被測定光の波長毎の強度が検出器（３２）によって検出される。
【先行技術文献】
【特許文献】
【０００５】
【特許文献１】特表２００４−５１８１２４号公報
【発明の概要】
【発明が解決しようとする課題】
【０００６】
ところで、特許文献１に記載の装置の動作順序は特許文献１に明示されていないが、光源装置（１０）から発する励起光の波長が順次変更され、検出器（３２）によるスペクトルの測定が各波長の励起光の発光タイミングに同期して行われ、全波長の励起光に基づくスペクトルの測定が終了したら、全ての測定結果（全てのスペクトルデータ）を分析することによって生体組織（２４）を診断するものと考えられる。しかし、このような動作順序では、或る波長の励起光が照射されたことによって測定されたスペクトルに異常があった場合、それ以降に行われる励起光の照射及びスペクトルの測定が無駄となってしまう。励起光が測定対象物に無駄に照射されると、単にエネルギーを浪費するというだけではなく、人体への負担が大きくなるという恐れもある。
そこで、本発明が解決しようとする課題は、そのような無駄を省けるようにすることである。
【課題を解決するための手段】
【０００７】
以上の課題を解決するための請求項１に係る発明は、励起光を発するとともにその励起光の波長帯域を変更可能な光源装置と、ケーブル状に設けられ、前記光源装置から発せられた励起光を前記光源装置に近位の端から取り込み、その励起光を前記光源装置に遠位の端まで伝達し、その励起光を前記遠位の端から出射し、前記遠位の端から出射された励起光によって測定対象物から発せられた被測定光を前記遠位の端から取り込んで前記近位の端まで伝達するプローブと、前記プローブの前記近位の端まで伝達した被測定光のスペクトルを測定する分光測定器と、制御部と、を備え、前記制御部が、前記光源装置を制御して、前記光源装置の励起光の波長帯域を設定する波長設定処理と、前記波長設定処理後に前記分光測定器にスペクトルの測定を行わせる測定制御処理と、前記測定制御処理により測定されたスペクトルを入力させる入力処理と、前記入力処理により入力されたスペクトルが正常であるか否かを判定する判定処理と、を実行し、前記制御部が、前記判定処理によりスペクトルが正常であると判定した場合に、前記波長設定処理、前記測定制御処理、前記入力処理及び前記判定処理を再実行し、前記判定処理によりスペクトルが異常であると判定した場合に、前記波長設定処理、前記測定制御処理、前記入力処理及び前記判定処理の再実行を行わない、ことを特徴とする測定装置である。
【０００８】
請求項２に係る発明は、前記制御部は、再実行される前記波長設定処理において設定される前記光源装置の励起光の波長帯域よりも長くなるように、その前の前記波長設定処理において前記光源装置の励起光の波長帯域を設定する、ことを特徴とする請求項１に記載の測定装置である。
【０００９】
請求項３に係る発明は、再実行される前記波長設定処理において設定される前記光源装置の励起光の波長帯域に比べて、その前の前記波長設定処理において設定される前記光源装置の励起光の波長帯域は、人体に対する害が小さい、ことを特徴とする請求項１に記載の測定装置である。
【００１０】
請求項４に係る発明は、情報を可視化して出力するための出力装置をさらに備え、
前記制御部が、前記判定処理によりスペクトルが異常であると判定した場合に、前記波長設定処理、前記測定制御処理、前記入力処理及び前記判定処理の再実行を行わずに前記出力装置にエラーの旨を出力させるエラー処理を実行する、ことを特徴とする請求項１から３の何れか一項に記載の測定装置である。
【００１１】
請求項５に係る発明は、スピーカーをさらに備え、前記制御部が、前記判定処理によりスペクトルが異常であると判定した場合に、前記波長設定処理、前記測定制御処理、前記入力処理及び前記判定処理の再実行を行わずに前記スピーカーに警告音を出力させるエラー処理を実行する、ことを特徴とする請求項１から４の何れか一項に記載の測定装置である。
【００１２】
請求項６に係る発明は、前記光源装置が、光を発する光源と、前記光源と前記プローブの前記近位の端との間の挿入位置からその挿入位置から外れた退避位置まで移動可能に設けられ、前記光源から発した光のうち通過帯域の光を励起光として通過させ、通過帯域が互いに異なる複数の帯域通過フィルターと、前記複数の帯域通過フィルターを駆動する駆動部と、を有し、前記制御部が前記波長設定処理において前記駆動部を制御することによって前記複数の帯域通過フィルターのうち何れかを前記挿入位置に位置させる、ことを特徴とする請求項１から３の何れか一項に記載の測定装置である。
【００１３】
請求項７に係る発明は、前記制御部は、再実行された前記波長設定処理において前記挿入位置に位置させた帯域通過フィルターを、その前の前記波長設定処理において前記挿入位置に位置させた帯域通過フィルターと異ならせる、ことを特徴とする請求項６に記載の測定装置である。
【００１４】
請求項８に係る発明は、情報を可視化して出力するための出力装置をさらに備え、前記制御部は、前記複数の帯域通過フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、
ことを特徴とする請求項７に記載の測定装置である。
【００１５】
請求項９に係る発明は、前記分光測定器と前記プローブの前記近位の端との間の第二挿入位置からその第二挿入位置から外れた第二退避位置まで移動可能に設けられ、前記プローブの前記近位の端まで伝達された被測定光のうち遮断帯域の光を遮断し、遮断帯域が互いに異なる複数の帯域遮断フィルターと、前記複数の帯域遮断フィルターを駆動する第二駆動部と、をさらに備え、前記制御部が前記波長設定処理において前記第二駆動部を制御することによって前記複数の帯域遮断フィルターのうち何れかを前記第二挿入位置に位置させる、ことを特徴とする請求項１から３の何れか一項に記載の測定装置である。
【００１６】
請求項１０に係る発明は、前記制御部は、再実行された前記波長設定処理において前記第二挿入位置に位置させた帯域遮断フィルターを、その前の前記波長設定処理において前記第二挿入位置に位置させた帯域遮断フィルターと異ならせる、ことを特徴とする請求項９に記載の測定装置である。
【００１７】
請求項１１に係る発明は、情報を可視化して出力するための出力装置をさらに備え、
前記制御部は、前記複数の帯域遮断フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、ことを特徴とする請求項１０に記載の測定装置である。
【００１８】
請求項１２に係る発明は、前記光源装置が、光を発する光源と、前記光源と前記プローブの前記近位の端との間の挿入位置からその挿入位置から外れた退避位置まで移動可能に設けられ、前記光源から発した光のうち通過帯域の光を励起光として通過させ、通過帯域が互いに異なる複数の帯域通過フィルターと、前記複数の帯域通過フィルターを駆動する駆動部と、を有し、前記測定装置が、前記分光測定器と前記プローブの前記近位の端との間の第二挿入位置からその第二挿入位置から外れた第二退避位置まで移動可能に設けられ、前記複数の帯域通過フィルターの通過帯域にそれぞれ等しい遮断帯域を有し、前記プローブの前記近位の端まで伝達された被測定光のうち遮断帯域の光を遮断する複数の帯域遮断フィルターと、前記複数の帯域遮断フィルターを駆動する第二駆動部と、さらに備え、前記制御部が前記波長設定処理において前記駆動部を制御することによって前記複数の帯域通過フィルターのうち何れかを前記挿入位置に位置させ、前記制御部が前記波長設定処理において前記第二駆動部を制御することによって、前記挿入位置に位置した帯域通過フィルターの通過帯域に等しい遮断帯域を有した帯域遮断フィルターを前記第二挿入位置に位置させる、ことを特徴とする請求項１から３の何れか一項に記載の測定装置である。
【００１９】
請求項１３に係る発明は、前記制御部は、再実行された前記波長設定処理において前記挿入位置に位置させた帯域通過フィルターを、その前の前記波長設定処理において前記挿入位置に位置させた帯域通過フィルターと異ならせるとともに、再実行された前記波長設定処理において前記第二挿入位置に位置させた帯域遮断フィルターを、その前の前記波長設定処理において前記第二挿入位置に位置させた帯域遮断フィルターと異ならせる、ことを特徴とする請求項１２に記載の測定装置である。
【００２０】
請求項１４に係る発明は、情報を可視化して出力するための出力装置をさらに備え、前記制御部は、前記複数の帯域通過フィルター及び前記複数の帯域遮断フィルターの数に等しい回数だけ前記波長設定処理、前記測定制御処理、前記入力処理及び前記判定処理を行って、最後の前記判定処理によりスペクトルが正常であると判定した場合に、各回の前記入力処理により入力したスペクトルを前記出力装置に出力させる出力処理を実行する、ことを特徴とする請求項１３に記載の測定装置である。
【発明の効果】
【００２１】
本発明によれば、測定制御処理において分光測定器により検出されたスペクトルが正常である限り、励起光の波長帯域を適切に設定して測定を繰り返すことができる。一方、検出されたスペクトルが異常であれば、それ以後の波長設定処理、測定制御処理、入力処理及び判定処理の再実行が行われないので、励起光を測定対象物に無駄に照射することを省くことができるとともに、スペクトルを無駄に測定することも省くことができる。
【図面の簡単な説明】
【００２２】
【図１】本発明の実施の形態に係る測定装置の構成図である。
【図２】同実施形態に係る内視鏡の部分断面斜視図である。
【図３】同実施形態に係るプローブ及び内視鏡の遠位端の斜視図である。
【図４】同実施形態に係るプローブの概略断面図である。
【図５】同実施形態に係る光源装置の概略図である。
【図６】同実施形態に係る光検出器の概略図である。
【図７】同実施形態に係る制御部の処理の流れを示したフローチャートである。
【発明を実施するための形態】
【００２３】
以下に、本発明を実施するための形態について図面を用いて説明する。以下に述べる実施形態には、本発明を実施するために技術的に好ましい種々の限定が付されているが、本発明の技術的範囲を以下の実施形態及び図示例に限定するものではない。
【００２４】
図１は、測定装置１の概略構成図である。図１に示すように、この測定装置１は、内視鏡１０、伝送ケーブル２０、内視鏡プロセッサ２５、プローブ３０及びベースユニット５０等を備える。
【００２５】
図２は、内視鏡１０を一部破断した状態で示した部分断面斜視図である。図３は、内視鏡１０の遠位端（先端）を示した斜視図である。内視鏡１０の挿入部１１についての近位（proximal）とは、操作部１２に近い方をいい、遠位（distal）とは、操作部１２から遠い方をいう。
【００２６】
図１〜図３に示すように、内視鏡１０が挿入部１１及び操作部１２等を有し、挿入部１１が操作部１２から延び出るように設けられている。測定装置１の使用時には、挿入部１１が患者の管腔に挿入される。挿入部１１が可撓性を有し、管腔の形状に合わせて挿入部１１が曲げられる。
【００２７】
内視鏡１０がビデオスコープであり、挿入部１１の遠位端に電子カメラ１３が設けられている。電子カメラ１３は、挿入部１１の遠位端の先方の像を撮像して、その像を映像信号に変換する。伝送ケーブル２０の一端部が内視鏡プロセッサ２５に接続され、その伝送ケーブル２０が内視鏡プロセッサ２５から操作部１２まで配線され、その伝送ケーブル２０の一部が挿入部１１の長手方向に沿って挿入部１１の内部に設けられ、その伝送ケーブル２０の他端部が電子カメラ１３及び照明部１４に接続される。伝送ケーブル２０は、電子カメラ１３によって撮像された画像の映像信号を電子カメラ１３から内視鏡プロセッサ２５に伝送する。なお、内視鏡１０がファイバースコープであり、光ファイバーバンドルが挿入部１１の長手方向に沿って挿入部１１の内部に設けられ、その光ファイバーバンドルの遠位端部及びレンズが電子カメラ１３に相当する部位に設けられていてもよい。
【００２８】
内視鏡プロセッサ２５は、電子カメラ１３から伝送された映像信号をベースユニット５０のビデオ入力インターフェース５４及び内視鏡表示モニターに出力する。内視鏡表示モニターは、内視鏡プロセッサ２５から入力した映像信号に従った画像を表示する。
【００２９】
挿入部１１の遠位端には、照明部１４が設けられている。照明部１４が発光素子等からなる場合、挿入部１１の長手方向に沿って挿入部１１の内部に設けられた配線を通じて照明部１４に電力が供給されることで、照明部１４が点灯する。照明部１４がライトガイドの遠位端である場合には、そのライトガイドが挿入部１１の長手方向に沿って挿入部１１の内部に設けられ、そのライトガイドの近位端が光源に接続される。その光源は、例えば、内視鏡プロセッサ２５に内蔵されている。
【００３０】
チャネル１５が挿入部１１の長手方向に沿って挿入部１１に設けられている。チャネル１５の遠位端の開口１６が挿入部１１の遠位端において開口し、チャネル１５の近位端の開口１７が操作部１２において開口する。例えば、チャネル１５は、鉗子等の処置具を通す処置具用チャネルである。
【００３１】
プローブ３０がケーブル状（線状）に設けられている。プローブ３０は経内視鏡的に使用される。つまり、図２に示すように、プローブ３０が内視鏡１０のチャネル１５の近位端の開口１７を通ってチャネル１５へ挿入され、プローブ３０の遠位の部位がチャネル１５からその遠位端の開口１６を通って体腔内へ突出する。
【００３２】
図４は、プローブ３０の軸方向に沿った断面におけるプローブ３０の概略断面図である。図３及び図４に示すように、プローブ３０は、可撓性シース３１、励起光用の第一ライトガイド３２、被測定光用の第二ライトガイド３３、照明光（白色光など広波長帯域の可視光）用の第三ライトガイド３４、励起光及び被測定光用の投光受光部３５、照明用の投光部３６及びコネクタ３７等を備える。プローブ３０についての近位とは、ベースユニット５０やコネクタ３７に近い方をいい、遠位とは、ベースユニット５０やコネクタ３７から遠い方をいう。
【００３３】
可撓性シース３１は、中空を有した細い筒状のチューブである。可撓性シース３１の近位端（基端）３１ａがコネクタ３７に接続される。可撓性シース３１の遠位端（先端）３１ｂには、投光受光部３５及び投光部３６が設けられている。投光受光部３５及び投光部３６には光学素子が設けられている。具体的にはレンズ、プリズム若しくは反射ミラー又はこれらの光学部材を複数組み合わせたものである。
【００３４】
ライトガイド３２，３３，３４は一本又は複数本の可撓性の光ファイバーからなる。ライトガイド３２，３３，３４が可撓性シース３１に挿入されている。ライトガイド３２，３３，３４が可撓性シース３１の近位端３１ａから遠位端３１ｂにかけて可撓性シース３１に沿って設けられ、ライトガイド３２，３３，３４の近位端３２ａ，３３ａ，３４ａがコネクタ３７に固定され、ライトガイド３２，３３，３４の遠位端３２ｂ，３３ｂ，３４ｂがホルダー等によって可撓性シース３１の遠位端３１ｂに固定されている。ライトガイド３２，３３，３４の近位端３２ａ，３３ａ，３４ａがコネクタ３７の表面において露出し、ライトガイド３２，３３の遠位端３２ｂ，３３ｂの先方に投光受光部３５が配置され、第三ライトガイド３４の遠位端３４ｂの先方に投光部３６が配置される。
【００３５】
第一ライトガイド３２は、その近位端３２ａで励起光を取り込み、取り込んだ励起光をその近位端３２ａからその遠位端３２ｂまで伝達して、その遠位端３２ｂから励起光を出射する。投光受光部３５は、第一ライトガイド３２の遠位端３２ｂから出射された励起光を測定対象物（例えば、生体組織、管腔や管腔臓器の内壁等）９９に投射する。
【００３６】
励起光が測定対象物９９に入射されると、測定対象物９９から光（被測定光）が発せられる。測定対象物９９から発せられる被測定光には、ラマン散乱光、ラマン散乱光以外の散乱光（例えば、レイリー散乱光）、蛍光及び反射光等が含まれる。ラマン散乱光は、励起光が測定対象物９９に入射したときにラマン効果によって散乱された光をいう。ラマン散乱光と励起光は波長が相違する。ラマン散乱光以外の散乱光とは、励起光が測定対象物９９に入射したときにラマン効果以外によって散乱された光をいう。ラマン散乱光以外の散乱光と励起光は波長が等しい。蛍光とは、励起光が測定対象物９９に照射されてそのエネルギーが吸収されることによって電子が励起し、それが基底状態に戻る際に余分なエネルギーが電磁波として放出されるものである。反射光は、励起光が測定対象物９９に入射して反射したものをいう。
【００３７】
測定対象物９９から発せられた被測定光がプローブ３０の遠位端に取り込まれる。具体的には、測定対象物９９から発せられた被測定光が投光受光部３５に入射され、投光受光部３５がその被測定光を第二ライトガイド３３の遠位端３３ｂに集光する。第二ライトガイド３３は、その遠位端３３ｂで被測定光を取り込み、取り込んだ被測定光をその遠位端３３ｂからその近位端３３ａまで伝達して、その近位端３３ａから被測定光を出射する。
【００３８】
第三ライトガイド３４は、その近位端３４ａで測定対象物の観察用の照明光を取り込み、取り込んだ照明光をその近位端３４ａからその遠位端３４ｂまで伝達して、その遠位端３４ｂから照明光を出射する。投光部３６は、第三ライトガイド３４の遠位端３４ｂから出射された照明光を測定対象物９９に投射する。これにより、測定対象物９９が照明される。
【００３９】
図１に示すように、コネクタ３７はベースユニット５０のプローブ接続部５５に接続される。ベースユニット５０は、入力装置５１、出力装置５２、スピーカー５３、ビデオ入力インターフェース５４、プローブ接続部５５、照明用ＬＥＤ５６、測定用光源装置６０、測定用光検出器７０、制御部８０及び記憶装置８１等を備える。
【００４０】
入力装置５１は、入力ユーザーインターフェイスである。つまり、入力装置５１は、キーボード、デジタイザ、タッチパネル、マウス若しくはスイッチ又はこれらの組み合わせである。入力装置５１が操作されると、入力装置５１が操作内容に応じたコマンド信号を制御部８０に出力する。
【００４１】
出力装置５２は、情報を可視化して出力する装置であり、表示装置（ディスプレイ）又は印刷装置（プリンター）である。制御部８０によって出力された信号（例えば、映像信号、制御信号）が出力装置５２に入力され、出力装置５２がその入力信号に従った出力（表示又は印刷）を行う。
【００４２】
スピーカー５３は電気音響変換器である。制御部８０によって出力された音声や警告音などの音信号がスピーカー５３に入力され、その音信号に従った音声や警告音がスピーカー５３から出力される。
【００４３】
ビデオ入力インターフェース５４は、内視鏡プロセッサ２５によって出力された映像信号を受け取り、その映像信号を制御部８０に出力する。
【００４４】
プローブ３０のコネクタ３７はプローブ接続部５５に対して着脱可能である。コネクタ３７がプローブ接続部５５に接続されると、ライトガイド３２，３３，３４の近位端３２ａ，３３ａ，３４ａが測定用光源装置６０、測定用光検出器７０及び照明用ＬＥＤ５６にそれぞれ光学的に接続される。
【００４５】
照明用ＬＥＤ５６は発光素子（例えば、白色発光ダイオード）であり、観察用の照明光を発するものである。照明用ＬＥＤ５６が点灯すると、照明光が第三ライトガイド３４によって近位端３４ａから遠位端３４ｂまで伝達され、その照明光が遠位端３４ｂから出射される。
【００４６】
測定用光源装置６０は、測定用の励起光を発するものである。測定用光源装置６０が点灯すると、励起光が第一ライトガイド３２によって近位端３２ａから遠位端３２ｂまで伝達され、その励起光が遠位端３２ｂから出射される。
【００４７】
測定用光源装置６０は、出力励起光の波長帯域を変更することができる波長可変式の光源装置である。図５は測定用光源装置６０の概略図である。測定用光源装置６０は光源６１、ライトガイド６２、通過波長選択フィルター６３、モーター（第一駆動部）６４、ライトガイド６５、シャッター６６及び出力ライトガイド６７等を備える。
【００４８】
ライトガイド６２の一端が光源６１に接続され、ライトガイド６２の他端が通過波長選択フィルター６３を介してライトガイド６５の一端に接続され、ライトガイド６５の他端がシャッター６６を介してライトガイド６７の一端に接続され、ライトガイド６７の他端がプローブ接続部５５に取り付けられている。プローブ３０のコネクタ３７がプローブ接続部５５に接続されると、ライトガイド６７の他端が第一ライトガイド３２の近位端に連結される。ライトガイド６２，６５，６７は、光ファイバー又は光ファイバーバンドルからなり、一方の端から光を取り込んで、その光を他方の端にまで伝達して、光を他方の端から出射するものである。なお、ライトガイド同士を接続するに当たっては、光学的に両者をカップリングするのに必要な光学系を含んでいるが、本明細書においては図示を省略している。
【００４９】
光源６１は、広波長帯域の光（例えば白色光）を発するものである。光源６１から発する光は、可視光帯域の光であってもよいし、可視光帯域外の光（例えば、近赤外線、赤外線、紫外線）であってもよいし、可視光帯域の光と可視光帯域外の光を混合したものでもよい。光源６１は、半導体発光素子（例えばＬＥＤ）、ハロゲン電球、放電灯その他の光源である。
【００５０】
通過波長選択フィルター６３は、光源６１から発した光のうち特定の波長帯域の光を通過させ、残りの波長帯域の光を遮断する。通過波長選択フィルター６３を通過する波長帯域の光が測定用の励起光である。通過波長選択フィルター６３は、通過させる波長帯域を変更可能である。より具体的に説明すると、通過波長選択フィルター６３は円板６３ａ及び複数の帯域通過フィルター６３ｂ〜６３ｅを有し、複数の貫通孔が円板６３ａに形成され、これら貫通孔が帯域通過フィルター６３ｂ〜６３ｅによって閉塞され、これら帯域通過フィルター６３ｂ〜６３ｅが円板６３ａの中心の周りに周方向に沿って配列されている。円板６３ａの回転によって帯域通過フィルター６３ｂ〜６３ｅの何れか１つが選択されて、その選択されたフィルターがライトガイド６２，６５の間の位置（以下、この位置を第一挿入位置という。）に配置され、他のフィルターが第一挿入位置から外れた第一退避位置に配置される。これにより、通過波長選択フィルター６３を通過する光の波長帯域は選択されたフィルターの通過帯域に選択される。円板６３ａの中心軸にはモーター６４が連結され、通過波長選択フィルター６３がモーター６４によって回転される。
【００５１】
帯域通過フィルター６３ｂ〜６３ｅは通過帯域が相違することが好ましい。通過帯域は、帯域通過フィルター６３ｂ、帯域通過フィルター６３ｃ、帯域通過フィルター６３ｄ、帯域通過フィルター６３ｅの順に長い。従って、帯域通過フィルター６３ｂ〜６３ｅを通過する励起光のエネルギーは、帯域通過フィルター６３ｂ、帯域通過フィルター６３ｄ、帯域通過フィルター６３ｄ、帯域通過フィルター６３ｅの順に小さい。また、帯域通過フィルター６３ｂ〜６３ｅを通過する励起光の人体に対する害は、帯域通過フィルター６３ｂ、帯域通過フィルター６３ｃ、帯域通過フィルター６３ｄ、帯域通過フィルター６３ｅの順に小さい。
【００５２】
帯域通過フィルター６３ｂ〜６３ｅには識別番号が付与されている。例えば、帯域通過フィルター６３ｂの識別番号が１であり、帯域通過フィルター６３ｃの識別番号が２であり、帯域通過フィルター６３ｄの識別番号が３であり、帯域通過フィルター６３ｅの識別番号が４である。なお、通過波長選択フィルター６３に設けられる帯域通過フィルター６３ｂ〜６３ｅの数は４に限るものではなく、２若しくは３又は５以上であってもよい。
【００５３】
通過波長選択フィルター６３の代わりに蛍光体ホイールを用いてもよい。つまり、複数の帯域通過フィルター６３ｂ〜６３ｅの代わりに複数の蛍光体が円板６３ａの複数の貫通孔にそれぞれ設けられ、これら蛍光体の蛍光色（蛍光の波長帯域）が互いに相違する。これら蛍光体の蛍光色（蛍光の波長帯域）は帯域通過フィルター６３ｂ〜６３ｅの通過帯域にそれぞれ等しいことが好ましい。この場合、光源６１から発する光はこれら蛍光体を励起させる光（例えば、紫外線）である。
【００５４】
シャッター６６は開閉可能に設けられている。シャッター６６が閉じると、通過波長選択フィルター６３を通過した励起光がシャッター６６によって遮断され、シャッター６６が開くと、通過波長選択フィルター６３を通過した励起光がシャッター６６を通過する。
【００５５】
光源６１が半導体発光素子のような安定性光源であれば、シャッター６６を省略してもよい。その場合、シャッター６６を開閉させる代わりに光源６１を点灯・消滅させる。なお、安定性光源とは、点灯・消灯の応答特性が早く、点灯後すぐに発光強度が定常状態になるようなものをいう。
【００５６】
シャッター６６がある場合、測定用光源装置６０の点灯状態とは、光源６１が発光するとともにシャッター６６が開いた状態をいい、測定用光源装置６０の消灯状態とは、シャッター６６の開閉に関わらず光源６１が発光していない状態、光源６１の発光・非発光に関わらずシャッター６６が閉じた状態をいう。
シャッター６６を省略した場合、測定用光源装置６０の点灯状態とは、光源６１が発光した状態をいい、測定用光源装置６０の消灯状態とは、光源６１が発光していない状態をいう。
【００５７】
なお、シャッター６６がライトガイド６２とライトガイド６５の間に設けられてもよいし、通過波長選択フィルター６３がライトガイド６５とライトガイド６７の間に設けられてもよい。
【００５８】
図１に示すように、測定用光検出器７０は、第二ライトガイド３３の近位端３３ａから出射された被測定光から特定の波長帯域の光（励起光と同波長帯域の光）を遮断し、通過した被測定光のスペクトルを測定するものである。測定用光検出器７０は、遮断する光の波長帯域を変更することができる波長可変式の検出器である。図６は測定用光検出器７０の概略図である。測定用光検出器はライトガイド７１、遮断波長選択フィルター７２、モーター（第二駆動部）７３、ライトガイド７４及び分光測定器７５等を備える。
【００５９】
ライトガイド７１の一端がプローブ接続部５５に取り付けられている。プローブ３０のコネクタ３７がプローブ接続部５５に接続されると、ライトガイド７１の他端が第二ライトガイド３３の近位端３３ａに連結される。ライトガイド７１の他端が遮断波長選択フィルター７２を介してライトガイド７４の一端に接続され、ライトガイド７４の他端が分光測定器７５に接続される。ライトガイド７１，７４は、光ファイバー又は光ファイバーバンドルからなり、一方の端から光を取り込んで、その光を他方の端にまで伝達して、光を他方の端から出射するものである。
【００６０】
遮断波長選択フィルター７２は、第二ライトガイド３３の近位端３３ａから出射した被測定光のうち特定の波長帯域の光を遮断し、残りの波長帯域の被測定光を通過させる。遮断波長選択フィルター７２は、遮断する波長帯域を変更可能である。より具体的に説明すると、遮断波長選択フィルター７２は円板７２ａ及び複数の帯域遮断フィルター７２ｂ〜７２ｅを有し、複数の貫通孔が円板７２ａに形成され、これら貫通孔が帯域遮断フィルター７２ｂ〜７２ｅによって閉塞され、これら帯域遮断フィルター７２ｂ〜７２ｅが円板７２ａの中心の周りに周方向に沿って配列されている。円板７２ａの回転によって帯域遮断フィルター７２ｂ〜７２ｅの何れか１つが選択されてライトガイド７１，７４の間の位置（以下、この位置を第二挿入位置という。）に配置され、他のフィルターが第二挿入位置から外れた第二退避位置に配置される。これにより、遮断波長選択フィルター７２によって遮断される光の波長帯域は選択されたフィルターの遮断帯域に選択される。円板７２ａの中心軸にはモーター７３が連結され、遮断波長選択フィルター７２がモーター７３によって回転される。帯域遮断フィルター７２ｂ〜７２ｅは遮断帯域が相違することが好ましい。なお、遮断波長選択フィルター７２に設けられる帯域遮断フィルター７２ｂ〜７２ｅの数は４に限るものではなく、２若しくは３又は５以上であってもよい。
【００６１】
遮断波長選択フィルター７２の帯域遮断フィルター７２ｂと通過波長選択フィルター６３の帯域通過フィルター６３ｂが対応するものであり、帯域遮断フィルター７２ｂの遮断帯域と帯域通過フィルター６３ｂの通過帯域が等しいか、ほぼ等しい。帯域遮断フィルター７２ｃと帯域通過フィルター６３ｃについても同様であり、帯域遮断フィルター７２ｄと帯域通過フィルター６３ｄについても同様であり、帯域遮断フィルター７２ｅと帯域通過フィルター６３ｅについても同様である。
【００６２】
帯域遮断フィルター７２ｂ〜７２ｅには、それぞれに対応する帯域通過フィルター６３ｂ〜６３ｅの識別番号と同一の識別番号が付与されている。例えば、帯域遮断フィルター７２ｂの識別番号が１であり、帯域遮断フィルター７２ｃの識別番号が２であり、帯域遮断フィルター７２ｄの識別番号が３であり、帯域遮断フィルター７２ｅの識別番号が４である。
【００６３】
分光測定器７５は、遮断波長選択フィルター７２を通過した被測定光のスペクトルを測定するものである。具体的には、分光測定器７５は分光素子（例えば回折格子又はプリズム）及び撮像素子等を有する。遮断波長選択フィルター７２を通過した被測定光が分光素子によって分光され、分光された光が撮像素子に入射され、撮像素子によって撮像処理（所定時間の光源変換処理）が行われることによって、スペクトル（被測定光の波長毎の強度）が測定される。測定用光検出器７０は、測定したスペクトルを画像データとして制御部８０に出力する。
【００６４】
図１に示すように、制御部８０は、ＣＰＵ、ＲＡＭ、ＲＯＭ、ＡＳＩＣ、システムバス、入出力インターフェース、ドライバー、ＡＤコンバーター及びＤＡコンバーター等を有するコンピューターである。記憶装置８１は、読み書き可能な記憶装置であり、例えばハードディスク又は不揮発性半導体メモリーである。
【００６５】
制御部８０のＲＯＭ又は記憶装置８１には、制御部８０にとって読取可能・実行可能なプログラムが格納されている。このプログラムは、測定用光源装置６０（特に光源６１、モーター６４及びシャッター６６）の制御機能、測定用光検出器７０（特にモーター７３及び分光測定器７５）の制御機能、照明用ＬＥＤ５６の点灯・消灯・調光等の制御機能、入力装置５１によるコマンド入力機能、出力装置５２の制御機能（印刷制御機能又は表示制御機能）、スピーカー５３の制御機能を制御部８０に実現させるものである。制御部８０は、測定用光源装置６０（特に光源６１、モーター６４及びシャッター６６）、測定用光検出器７０（特にモーター７３及び分光測定器７５）、照明用ＬＥＤ５６、入力装置５１、出力装置５２及びスピーカー５３を統合的に制御する。
【００６６】
続いて、測定装置１の使用方法について説明するとともに、測定装置１の使用に伴う測定装置１の動作について説明する。
【００６７】
まず、ユーザーがプローブ３０のコネクタ３７をプローブ接続部５５に接続する。そして、ユーザーが内視鏡１０、内視鏡プロセッサ２５及びベースユニット５０を起動する。内視鏡プロセッサ２５が起動すると、内視鏡１０の各部の初期化と起動処理が行われる。ベースユニット５０が起動すると、制御部８０、測定用光源装置６０、測定用光検出器７０及び照明用ＬＥＤ５６の初期化処理が行われ、測定用光源装置６０及び照明用ＬＥＤ５６が消灯される。なお、測定用光源装置６０の光源６１が安定性光源でなければ、光源６１が発光するとともにシャッター６６が閉じることによって測定用光源装置６０が消灯状態であり、以後光源６１が発光した状態が保たれることが好ましい。
【００６８】
次に、ユーザーが内視鏡表示モニターの表示画像を通じて管腔を観察しながら、内視鏡１０の挿入部１１を管腔に挿入する。この際、照明部１４から照射される照明光により、管腔が照明される。更に、電子カメラ１３によって撮像された画像の映像信号が電子カメラ１３から内視鏡プロセッサ２５を経由して内視鏡表示モニターに伝送され、その映像が内視鏡表示モニターに表示される。
【００６９】
次に、ユーザーがプローブ３０の遠位端をチャネル１５の近位端の開口１７に差し込む。そして、ユーザーがプローブ３０をチャネル１５に挿入していき、プローブ３０の遠位端をチャネル１５の遠位端の開口１６から突き出す。
【００７０】
次に、ユーザーが入力装置５１を操作すると、点灯コマンドが入力装置５１から制御部８０へ出力され、制御部８０がその点灯コマンドに従って照明用ＬＥＤ５６を点灯する。そうすると、照明用ＬＥＤ５６から発せられた照明光が第三ライトガイド３４によって遠位端３４ｂへ伝達される。第三ライトガイド３４の遠位端３４ｂから出射された照明光が投光部３６によって管腔の内壁（測定対象物９９）に照射され、管腔の内壁が照明光によって照明される。
次に、ユーザーが内視鏡プロセッサ２５又は操作部１２を操作することによって照明部１４を消灯させる。照明用ＬＥＤ５６の点灯後に内視鏡の照明部１４を消灯するので、ブラックアウトが発生せず、安全性を高めることができる。
【００７１】
次に、ユーザーが内視鏡表示モニターの表示画像を通じて管腔の内壁を観察し、分光測定するべき箇所を特定する。そして、ユーザーが管腔の内壁の所定の箇所について分光測定を行う。
【００７２】
分光測定について具体的に説明する。
まず、ユーザーが管腔の内壁の測定箇所に狙いを定めて、その測定箇所にプローブ３０の遠位端を近接させる。ここで、近接とは、プローブ３０の遠位端が測定箇所に十分に接近しており、測定が可能になるような距離に達したことを意味する。プローブ３０の遠位端が測定箇所に近接した場合に、プローブ３０の遠位端が測定箇所に接触することが好ましい。なお、プローブ３０の遠位端が測定箇所に近接した場合に、プローブ３０の遠位端が測定箇所から僅かに離れていてもよい。
【００７３】
そして、ユーザーが入力装置５１の開始ボタンを押すと、測定開始のコマンドが制御部８０に入力され、制御部８０が図７に示す処理を実行する。
【００７４】
図７に示す処理が制御部８０によって実行されると、まず制御部８０が照明用ＬＥＤ５６を消灯する（ステップＳ１）。これにより、照明光が第三ライトガイド３４の遠位端３４ｂから出射されず、管腔が暗くなる。
次に、制御部８０がカウント数ｎを１に設定する（ステップＳ２）。このカウント数１は、後述のステップＳ３〜ステップＳ１０の処理が行われた回数を表す。
【００７５】
次に、制御部８０が測定用光源装置６０の出力励起光の波長帯域を設定する（ステップＳ３）。具体的には、制御部８０がモーター６４を制御して通過波長選択フィルター６３を回転させることによって、カウント数ｎに等しい識別番号の帯域通過フィルターを選択する。第１回目のフローでは、ｎ＝１であり、これに等しい識別番号の帯域通過フィルター６３ｂを選択し、その帯域通過フィルター６３ｂをライトガイド６２，６５の間の第一挿入位置に位置させる。測定用光源装置６０から出射される励起光の波長帯域が、帯域通過フィルター６３ｂの通過帯域に設定される。
【００７６】
更に、制御部８０が測定用光検出器７０の遮断波長帯域を設定する（ステップＳ３）。制御部８０がモーター７３を制御して遮断波長選択フィルター７２を回転させることによって、カウント数ｎに等しい識別番号の帯域遮断フィルターを選択する。第１回目のフローでは、ｎ＝１であり、これに等しい識別番号の帯域遮断フィルター７２ｂを選択し、その帯域遮断フィルター７２ｂをライトガイド７１，７４の間の第二挿入位置に位置させる。これにより、測定用光検出器７０の遮断波長帯域が帯域遮断フィルター７２ｂの遮断帯域に設定される。
【００７７】
次に、制御部８０は測定用光源装置６０を点灯する（ステップＳ４）。具体的には、制御部８０は、測定用光源装置６０の光源６１を発光させるとともにシャッター６６を開くか、光源６１が安定性光源でない場合は、発光を継続していた光源６１の光をシャッター６６を開くことで外部に光を放射させる。そうすると、光源６１から発した光のうち帯域通過フィルター６３ｂの通過帯域の励起光が帯域通過フィルター６３ｂを通過し、その励起光が測定用光源装置６０から、特にライトガイド６７の端部から発せられる。測定用光源装置６０から発せられた励起光が第一ライトガイド３２によって遠位端３２ｂへ伝達され、第一ライトガイド３２の遠位端３２ｂから出射された励起光が投光受光部３５によって測定箇所に照射される。
【００７８】
測定箇所に励起光が照射されると、測定箇所から被測定光が発する。具体的には、励起光によって測定箇所が励起されることによって蛍光が発し、励起光が測定箇所によって散乱されることによって散乱光（例えばラマン散乱光やレイリー散乱光等）が発し、励起光が測定箇所で反射することによって反射光が発する。従って、測定箇所から発する被測定光には、蛍光、散乱光及び反射光等が含まれる。
【００７９】
測定箇所から発した被測定光はプローブ３０の第二ライトガイド３３ａ及び測定用光検出器７０のライトガイド７１によって遮断波長選択フィルター７２まで伝達され、その被測定光のうち帯域遮断フィルター７２ｂの遮断帯域の光が帯域遮断フィルター７２ｂによって遮断され、帯域遮断フィルター７２ｂを通過した被測定光がライトガイド７４を介して分光測定器７５に取り込まれる。
【００８０】
次に、制御部８０が測定用光検出器７０の分光測定器７５にスペクトル測定を行わせる（ステップＳ５）。具体的には、制御部８０は、分光測定器７５の撮像素子に所定時間だけ光電変換を行わせることによって、分光測定器７５を所定時間露光する。これにより分光測定器７５の撮像素子が撮像処理を行い、撮像素子によって得られた画像は波長毎の強度分布を表すスペクトルであり、その画像の各画素の位置が波長を表し、その画像の各画素の階調値が強度を表す。
【００８１】
測定用光検出器７０による所定時間の測定が終了したら、制御部８０が測定用光源装置６０を消灯する。具体的には、制御部８０は、測定用光源装置６０の光源６１を消灯することによって又はシャッター６６を閉じることによって、測定用光源装置６０を消灯する。シャッター６６を閉じることによって測定用光源装置６０を消灯する場合には、光源６１を継続して点灯してもよいし、光源６１を消灯してもよい。シャッター６６を閉じることによって測定用光源装置６０を消灯する場合には、シャッター６６を閉じてもよいし、シャッター６６を継続して開いてもよい。
【００８２】
次に、測定用光検出器７０の分光測定器７５によって得られたスペクトル画像が制御部８０へ転送され、制御部８０がそのスペクトル画像を入力し（ステップＳ７）、そのスペクトル画像を記憶装置８１に記録して保存する（ステップＳ８）。
【００８３】
次に、制御部８０は、測定用光検出器７０の分光測定器７５から入力したスペクトル画像をデータ処理し、そのスペクトル画像をスペクトルデータに変換する（ステップＳ９）。スペクトルデータとは、波長毎に強度を対応付けしたデータ列である。
【００８４】
次に、制御部８０は、スペクトルデータが正常であるか否か、すなわち、データ取得が正しく行われたか否かを判定する（ステップＳ１０）。スペクトルデータが正常であるか否かの判定は以下の（ａ）〜（ｄ）の通りである。
【００８５】
（ａ）  制御部８０がスペクトルデータのうち所定波長の強度を所定閾値と比較する（ステップＳ１０）。そして、所定波長の強度が所定閾値以下である場合には、スペクトルデータが正常であると制御部８０が判定し（ステップＳ１０：Ｙｅｓ）、所定波長の強度が所定閾値を超える場合には、スペクトルデータが異常であると制御部８０が判定する（ステップＳ１０：Ｎｏ）。なお、正常・異常の判定基準が逆であってもよい。つまり、所定波長の強度が所定閾値以下である場合には、スペクトルデータが異常であり、所定波長の強度が所定閾値を超える場合には、スペクトルデータが正常であるとしてもよい。また、所定波長の強度が所定範囲（下閾値からそれよりも大きい上閾値までの範囲）内である場合には、スペクトルデータが正常であり、所定波長の強度が所定範囲外である場合には、スペクトルデータが異常であるとしてもよい。また、所定波長の強度が所定範囲内である場合には、スペクトルデータが異常であり、所定波長の強度が所定範囲外である場合には、スペクトルデータが正常であるとしてもよい。
【００８６】
（ｂ）  制御部８０がスペクトルデータのうち第一所定波長の強度を第二所定波長の強度で除することによって比を求め、その比を所定閾値と比較する（ステップＳ１０）。そして、比が所定閾値以下である場合には、スペクトルデータが正常であると制御部８０が判定し（ステップＳ１０：Ｙｅｓ）、比が所定閾値を超える場合には、スペクトルデータが異常であると制御部８０が判定する（ステップＳ１０：Ｎｏ）。なお、正常・異常の判定基準が逆であってもよい。つまり、比が所定閾値以下である場合には、スペクトルデータが異常であり、比が所定閾値を超える場合には、スペクトルデータが正常であるとしてもよい。また、比が所定範囲（下閾値からそれよりも大きい上閾値までの範囲）内である場合には、スペクトルデータが正常であり、比が所定範囲外である場合には、スペクトルデータが異常であるとしてもよい。また、比が所定範囲内である場合には、スペクトルデータが異常であり、比が所定範囲外である場合には、スペクトルデータが正常であるとしてもよい。
【００８７】
（ｃ）  制御部８０がスペクトルデータを参照データ（波長毎の強度を表したデータ列）と対比する（ステップＳ１０）。そして、両者が一致する場合又は両者の一致度が所定閾値以上である場合には、スペクトルデータが正常であると制御部８０が判定し（ステップＳ１０：Ｙｅｓ）、両者が一致しない場合又は両者の一致度が所定閾値未満である場合には、スペクトルデータが異常であると制御部８０が判定する（ステップＳ１０：Ｎｏ）。
【００８８】
（ｄ）  制御部８０がスペクトルデータの全波長の強度を積算（積分）し、総和（積分値）を所定閾値と比較する（ステップＳ１０）。そして、総和（積分値）が所定閾値以下である場合には、スペクトルデータが正常であると制御部８０が判定し（ステップＳ１０：Ｙｅｓ）、総和（積分値）が所定閾値を超える場合には、スペクトルデータが異常であると制御部８０が判定する（ステップＳ１０：Ｎｏ）。なお、正常・異常の判定基準が逆であってもよい。つまり、総和（積分値）が所定閾値以下である場合には、スペクトルデータが異常であり、総和（積分値）が所定閾値を超える場合には、スペクトルデータが正常であるとしてもよい。また、総和（積分値）が所定範囲（下閾値からそれよりも大きい上閾値までの範囲）内である場合には、スペクトルデータが正常であり、総和（積分値）が所定範囲外である場合には、スペクトルデータが異常であるとしてもよい。また、総和（積分値）が所定範囲内である場合には、スペクトルデータが異常であり、総和（積分値）が所定範囲外である場合には、スペクトルデータが正常であるとしてもよい。
【００８９】
以上の（ａ）〜（ｄ）の判定基準は一例であり、他の判定基準であってもよい。なお、プローブ３０の遠位端が測定箇所に近接していない場合や、測定対象物９９が生体組織でない場合等、測定が正しく行えない状態を異常として検出するように、予め行った実験結果等から判定基準を定めることが好ましい。
【００９０】
以上の判定の結果、スペクトルデータが正常である場合には（ステップＳ１０：Ｙｅｓ）、制御部８０の処理がステップＳ１１に移行し、スペクトルデータが異常である場合には（ステップＳ１０：Ｎｏ）、制御部８０の処理がステップＳ１５に移行する。
【００９１】
ステップＳ１５では、制御部８０が出力装置５２を制御して、測定エラーの旨が出力装置５２によって出力される。更に、制御部８０がスピーカー５３に音信号を出力し、スピーカー５３から音声メッセージやエラー音などの警告音が出力される。出力装置５２によるエラー出力とスピーカー５３による警告音の出力とのどちらか一方でもよい。
エラー処理後（ステップＳ１５）、制御部８０は測定処理を終了し（ステップＳ１６）、照明用ＬＥＤ５６を点灯する（ステップＳ１７）。そして、図７に示す処理が終了する。
【００９２】
ステップＳ１１では、制御部８０がカウント数ｎに１を加算する。
次に、制御部８０は、カウント数ｎに基づき、帯域通過フィルター６３ｂ〜６３ｅの全てで上記ステップＳ３〜Ｓ１０の処理を実行したか否か判定する（ステップＳ１２）。つまり、制御部８０は、カウント数ｎが帯域通過フィルター６３ｂ〜６３ｅの数（具体的には、４）を超えた値（具体的には、５）であるか否かを判定する（ステップＳ１２）。
【００９３】
フィルター６３ｂ，７２ｂが選択されて上記ステップＳ３〜ステップＳ１０の処理が行われた場合には、上記ステップＳ３〜ステップＳ１０の処理回数が１回であり、ステップＳ１２の時点でカウント数ｎが２である。そのため、制御部８０は帯域通過フィルター６３ｂ〜６３ｅの全てで上記ステップＳ３〜Ｓ１０の処理を実行していないと判定し（ステップＳ１２：Ｎｏ）、制御部８０の処理がステップＳ３に戻る。
【００９４】
２回目のステップＳ３では、制御部８０がモーター６４及びモーター７３を制御し、カウント数ｎ（ｎ＝２）に等しい識別番号のフィルターとして、フィルター６３ｃ，７２ｃが選択され、帯域通過フィルター６３ｃがライトガイド６２，６５の間の第一挿入位置に位置し、帯域遮断フィルター７２ｃがライトガイド７１，７４の間の第二挿入位置に位置する。その後、制御部８０が上述した場合と同様にステップＳ４〜ステップＳ１０の処理を実行する。そのため、帯域通過フィルター６３ｃの通過帯域の励起光（前回に選択された帯域通過フィルター６３ｂを通過した励起光よりも短波長であって、人体に対する害が大きい）が測定用光源装置６０から発し（ステップＳ４）、その励起光に基づく測定処理（ステップＳ６）、測定結果の入力処理（ステップＳ７）、測定結果の保存処理（ステップＳ８）、測定結果のデータ処理（ステップＳ９）及び正常・異常の判定（ステップＳ１０）が行われる。帯域通過フィルター６３ｃの通過帯域の励起光に基づくスペクトルデータが異常である場合には（ステップＳ１０：Ｎｏ）、測定エラーの旨が出力装置５２によって出力されたり、エラー音・警告音がスピーカー５３から出力されたりする（ステップＳ１５）。そして、測定処理が終了され（ステップＳ１６）、照明用ＬＥＤ５６が点灯され（ステップＳ１７）、図７に示す処理が終了する。一方、帯域通過フィルター６３ｃの通過帯域の励起光に基づくスペクトルデータが正常である場合には（ステップＳ１０：Ｙｅｓ）、カウント数ｎに１が加算され（ステップＳ１１）、カウント数ｎが３であるから、制御部８０の処理がステップＳ３に戻る（ステップＳ１２：Ｎｏ）。
【００９５】
３回目のステップＳ３では、制御部８０がモーター６４及びモーター７３を制御し、カウント数ｎ（ｎ＝３）に等しい識別番号のフィルターとして、フィルター６３ｄ，７２ｄが選択され、帯域通過フィルター６３ｄがライトガイド６２，６５の間の第一挿入位置に位置し、帯域遮断フィルター７２ｄがライトガイド７１，７４の間の第二挿入位置に位置する。その後、制御部８０が上述した場合と同様にステップＳ４〜ステップＳ１０の処理を実行する。そして、帯域通過フィルター６３ｄの通過帯域の励起光（前回に選択された帯域通過フィルター６３ｃを通過した励起光よりも短波長であって、人体に対する害がより大きい）に基づくスペクトルデータが異常である場合には（ステップＳ１０：Ｎｏ）、測定エラーの旨が出力装置５２によって出力されたり、エラー音・警告音がスピーカー５３から出力されたりする（ステップＳ１５）。そして、測定処理が終了され（ステップＳ１６）、照明用ＬＥＤ５６が点灯され（ステップＳ１７）、図７に示す処理が終了する。一方、帯域通過フィルター６３ｄの通過帯域の励起光に基づくスペクトルデータが正常である場合には（ステップＳ１０：Ｙｅｓ）、カウント数ｎに１が加算され（ステップＳ１１）、カウント数ｎが４であるから、制御部８０の処理がステップＳ３に戻る（ステップＳ１２：Ｎｏ）。
【００９６】
４回目のステップＳ３では、制御部８０がモーター６４及びモーター７３を制御し、カウント数ｎ（ｎ＝４）に等しい識別番号のフィルターとして、フィルター６３ｅ，７２ｅが選択され、帯域通過フィルター６３ｅがライトガイド６２，６５の間の第一挿入位置に位置し、帯域遮断フィルター７２ｅがライトガイド７１，７４の間の第二挿入位置に位置する。その後、制御部８０が上述した場合と同様にステップＳ４〜ステップＳ１０の処理を実行する。そして、帯域通過フィルター６３ｅの通過帯域の励起光（前回に選択された帯域通過フィルター６３ｄを通過した励起光よりも短波長であって、人体に対する害が大きい）に基づくスペクトルデータが異常である場合には（ステップＳ１０：Ｎｏ）、測定エラーの旨が出力装置５２によって出力されたり、エラー音・警告音がスピーカー５３から出力されたりする（ステップＳ１５）。そして、測定処理が終了され（ステップＳ１６）、照明用ＬＥＤ５６が点灯され（ステップＳ１７）、図７に示す処理が終了する。一方、帯域通過フィルター６３ｅの通過帯域の励起光に基づくスペクトルデータが正常である場合には（ステップＳ１０：Ｙｅｓ）、カウント数ｎに１が加算され（ステップＳ１１）、カウント数ｎが帯域通過フィルター６３ｂ〜６３ｅの数を超えているから、制御部８０の処理がステップＳ１３に移行する。
【００９７】
ステップＳ１３では、制御部８０が帯域通過フィルター６３ｂ〜６３ｅの通過帯域の励起光に基づくスペクトルデータを収集し、それらのスペクトルデータをデータ処理する。ここでのデータ処理は、例えば特表２００４−５１８１２４号公報に記載された拡散反射率分光学的手法による拡散反射率スペクトル分析、固有蛍光分光学的手法による固有蛍光スペクトル分析、光散乱光学的手法による光散乱スペクトル分析、３モードシステム分析である。
【００９８】
その後、制御部８０が測定結果（帯域通過フィルター６３ｂ〜６３ｅの通過帯域の励起光に基づくスペクトル）及びデータ処理の結果（分析結果）を出力装置５２に出力させる（ステップＳ１４）。そして、測定処理が終了され（ステップＳ１６）、照明用ＬＥＤ５６が点灯され（ステップＳ１７）、図７に示す処理が終了する。
【００９９】
その後、ユーザーが同じ測定箇所（主に、エラー処理が行われた場合）又は別の測定箇所に狙いを定めて、その測定箇所にプローブ３０の遠位端を近接させる。そして、ユーザーが入力装置５１の開始ボタンを押せば、制御部８０が図７に示す処理を再実行する。
【０１００】
本実施形態によれば以下のような効果を奏する。
【０１０１】
（１）  １回目のステップＳ４において励起光が測定箇所に照射され、その際に測定されたスペクトルが異常であれば（ステップＳ１０：Ｎｏ）、２回目以降のステップＳ３〜ステップＳ１０が行われない。そのため、励起光を測定箇所に無駄に照射することを省くことができ、励起光による人体への影響を最小限に抑えることができる。更に、スペクトルを無駄に測定することを省くことができ、全体としての測定時間を最小限に抑えることができる。２回目及び３回目に励起光が測定箇所に照射され、その際に測定されたスペクトルが異常である場合も同様である。
【０１０２】
（２）  測定箇所に照射される励起光の波長は、１回目のステップＳ４、２回目のステップＳ４、３回目のステップＳ４、４回目のステップＳ４の順に長い。励起光は波長が長くなるほど、人体に対する害が小さい。１回目のステップＳ４において励起光が測定箇所に照射され、その際に測定されたスペクトルが異常であれば（ステップＳ１０：Ｎｏ）、１回目の励起光の照射は無駄となってしまう。そうであっても、１回目の励起光は波長が長く、人体の害が小さいので、人体への影響を最小限に抑えることができる。２回目及び３回目に励起光が測定箇所に照射され、その際に測定されたスペクトルが異常である場合も同様である。
【０１０３】
（３）  測定されたスペクトルが異常であれば、エラーの旨が出力装置５２によって出力され、音声メッセージやエラー音などの警告音がスピーカー５３によって出力されるから（ステップＳ１５）、ユーザーが何かしらの異常を認識することができる。例えば、プローブ３０の遠位端が測定箇所に近接していないこと、測定対象物９９が生体組織でないこと等を認識することができる。
【符号の説明】
【０１０４】
１  測定装置
３０  プローブ
５２  出力装置
５３  スピーカー
６０  測定用光源装置（光源装置）
６１  光源
６３  通過波長選択フィルター
６３ｂ，６３ｃ，６３ｄ，６３ｅ  帯域通過フィルター
６４  モーター（第一駆動部）
７０  測定用光検出器
７２  遮断波長選択フィルター
７２ｂ，７２ｃ，７２ｄ，７２ｅ  帯域遮断フィルター
７３  モーター（第二駆動部）
８０  制御部
Ｓ３  ステップ（波長設定処理）
Ｓ５  ステップ（測定制御処理）
Ｓ７  ステップ（入力処理）
Ｓ１０  ステップ（判定処理）
Ｓ１４  ステップ（出力処理）
Ｓ１５  ステップ（エラー処理）
【図１】
2014117305.tif 000003
【図２】
2014117305.tif 000004
【図３】
2014117305.tif 000005
【図４】
2014117305.tif 000006
【図５】
2014117305.tif 000007
【図６】
2014117305.tif 000008
【図７】
2014117305.tif 000009